(57)【要約】【課題】腕時計のバンドにおいて、外側連結片の外側面にピン孔をなくして、美麗な外観を有し、且つ、商品価値を高める。【解決手段】ピン溝５１に貫通する貫通孔５２が背面側に設けられた外側連結片５０と、ピン孔が形成された中央連結片６０と、ピン孔を貫通して結合され、中央連結片６０に連結される外側連結片のピン溝５１に結合され、スクリュー孔７１が形成された連結ピン７０と、貫通孔５２を介して連結ピン７０のスクリュー孔７１に螺合されるスクリュー８０と、を備え、中央連結片６０のピン孔を介して、一側の外側連結片のピン溝５１と、他側の外側連結片のピン溝５１とに連結ピン７０を挿入し、外側連結片５０の貫通孔５２を介してスクリュー８０を連結ピン７０のスクリュー孔７１に螺合させ、中央連結片６０と外側連結片５０とを組み合わせる。【選択図】図５
2007000601.tif 000002
【特許請求の範囲】
【請求項１】
腕時計のバンドにおいて、
内側面に一定深さで離隔された位置に夫々ピン溝が設けられ、前記ピン溝の内側に貫通するように背面側に貫通孔が設けられた複数の外側連結片と、
左右側が貫通するように離隔された位置に夫々ピン孔が形成された複数の中央連結片と、
前記中央連結片のピン孔を貫通して結合され、該両端が前記中央連結片の両側に連結される外側連結片のピン溝に夫々結合され、両側にスクリュー孔が形成された連結ピンと、
前記貫通孔を介して連結ピンのスクリュー孔に螺合されるスクリューと、を備え、
前記中央連結片と両側の外側連結片とは、一側の外側連結片のピン溝と、 中央連結片のピン孔を介して、他側の外側連結片のピン溝とに連結ピンを挿入し、外側連結片の背面側の貫通孔を介して前記スクリューを連結ピンのスクリュー孔に螺合させることによって互いに組み合わされることを特徴とする腕時計のバンド。
【請求項２】
前記連結ピンの両側は外側連結片のピン溝に挿入され、前記貫通孔を介してスクリューにより固定され、且つ、前記中央連結片は前記連結ピンを中心として回転可能に結合されることを特徴とする請求項１に記載の腕時計のバンド。
【請求項３】
前記連結ピンの両側一部分は半円形に構成され、該半円形部分には前記スクリューが螺合するべくスクリュー孔が設けられていることを特徴とする請求項１に記載の腕時計のバンド。
【発明の詳細な説明】
【技術分野】
【０００１】
本発明は、腕時計のバンドに関するものであって、さらに詳しくは、腕時計のバンドを組み合わせるために、両側の外側連結片と中央連結片とを連結ピンを介して連結することによって、外側面にピン孔が設けられなくてもよいため、美麗な外観を有し、且つ、商品の価値を向上させることが可能な腕時計のバンドに関する。
【背景技術】
【０００２】
一般に、従来の腕時計バンド１００は、図１と図２に示されるように、複数の外側連結片１０は、左右側が貫通できるように離隔された位置に夫々ピン孔１１を有し、複数の中央連結片２０は、左右側が貫通できるように離隔された位置に夫々ピン孔２１を有する。中央連結片２０と両側の外側連結片１０とを互いに組み合わせるために、中央連結片２０のピン孔２１を介して、一側の外側連結片１０のピン孔１１と、他側の外側連結片１０のピン孔１１とにパイプ形もしくはピン形の連結ピン３０を挿入して結合し、外側連結片１０の側面ピン孔１１から別途、ピン３１を組み込むことによって、連結ピン３０に連結して組み立てる。また、連結ピン３０の両側は、外側連結片１０のピン孔１１に挿入されてピン３１により固定され、中央連結片２０は連結ピン３０を中心として回転可能となるように組み合わされる。
【０００３】
かかる構成により組み合わされた中央連結片２０のもう一つのピン孔２１両側に新しい外側連結片１０のピン孔１１を夫々位置させ、且つ、一側の外側連結片１０のピン孔１１と、中央連結片２０のピン孔２１を介して、他側の外側連結片１０のピン孔１１とに、連結ピン３０を挿入し、外側連結片１０のピン孔１１からピン３１を組み込むことによって、組み合わされる。
【０００４】
前述したように、両側の外側連結片１０と中央連結片２０とを、交替に連結ピン３０とピン３１とにより組み合わせることから、時計バンドの長さを調節することが可能となる。
【０００５】
前述したように、かかる従来の腕時計のバンドは、左右側が貫通された一側の外側連結片のピン孔と、左右が貫通された中央連結片のピン孔を介して、他側の外側連結片のピン孔とに、連結ピンとピンとを挿入して組み合わせるため、腕時計バンドを着用する間に外側連結片のピン孔からピンが外れることがある。また、セラミック材などのような特殊素材の時計バンドを用いる場合には、素材の表面が滑りやすいためピン固定が難しいという短所を持っており、しかも、世界有名ブランドの品質要求基準に基づく時計バンドの組立圧力基準重量に好適な品質で製作することが難しい。さらに、手首に時計を着用した上で時計バンドを見下ろす場合、外側連結片の側面からピン孔が見えることになるため、美観を損ない、商品の価値を著しく低減させる虞があった。
【０００６】
さらに、前述したような構成から成された腕時計バンドの長さを調節したい場合には、販売店に持って行き、そこで専門技術者により目打ちなどの工具を介して調節してもらうことが多かった。
【発明の開示】
【発明が解決しようとする課題】
【０００７】
本発明は、かかる従来技術の問題点等に鑑みてなされたものであり、その目的は、腕時計のバンドを組み合わせるために、両側の外側連結片と中央連結片とを連結ピンにより連結すれば、外側面にピン孔を設けなくてもよいので、外観が美麗で、且つ上品の価値を向上させることが可能な腕時計バンドを提供することにある。
【０００８】
本発明の他の目的は、外側連結片と中央連結片とを連結ピンにより結合し、スクリューを連結ピンに固定することから、連結片から連結ピンが外れることのない腕時計のバンドを提供することにある。
【０００９】
本発明のさらに他の目的は、外側連結片と中央連結片とを連結ピンにより組合わせ、外側連結片の背面からスクリューを用いて連結ピンを固定することによって、時計バンドの長さを調節したい場合、誰でもドライバー一本だけで簡単且つ容易に調節し得るようにした腕時計のバンドを提供することにある。
【課題を解決するための手段】
【００１０】
前述した本発明の目的は、内側面に一定深さで離隔された位置に夫々ピン溝が設けられ、ピン溝の内側に貫通するように背面側に貫通孔が設けられた複数の外側連結片と、左右側が貫通するように離隔された位置に夫々ピン孔が形成された複数の中央連結片と、中央連結片のピン孔を貫通して結合され、該両端が中央連結片の両側に連結される外側連結片のピン溝に夫々結合され、両側にスクリュー孔が形成された連結ピンと、貫通孔を介して連結ピンのスクリュー孔に螺合されるスクリューと、を備え、中央連結片と両側の外側連結片とは、 一側の外側連結片のピン溝と、中央連結片のピン孔を介して、他側の外側連結片のピン溝とに連結ピンを挿入し、外側連結片の背面側の貫通孔を介してスクリューを連結ピンのスクリュー孔に螺合させることによって、互いに組み合わされることを特徴とする腕時計のバンドを提供することによって達成される。
【００１１】
本発明の好ましい特徴によれば、前記連結ピンの両側は、外側連結片のピン溝に挿入されて貫通孔を介してスクリューにより固定され、且つ、中央連結片は、前記連結ピンを中心として回転可能に結合される。
【００１２】
本発明のさらに好ましい特徴によれば、前記連結ピンの両側一部分は半円形から成され、該半円形部分には前記スクリューが螺合されるべくスクリュー孔が設けられている。
【発明の効果】
【００１３】
前述したように、本発明は、腕時計のバンドの両側の外側連結片と中央連結片とを連結ピンにより組み合わせることによって、外側面にピン孔が形成されなくてもよいので、外観が美麗で、商品の価値を向上させることができる。また、外側連結片と中央連結片とを連結ピンを介して組合わせ、スクリューを連結ピンに固定することによって、連結片から連結ピンが外れることがない。さらに、腕時計バンドの長さを調節したい場合、誰でもドライバーさえあれば簡単且つ容易にバンドの長さを調節することが可能となる。
【発明を実施するための形態】
【００１４】
以下では、本発明による望ましい実施例を添付図面を参照として、詳細に説明する。しかし、本発明は、様々変形し得るものとして、本実施例に限定されないことは言うまでもない。本発明の図面中、同一部分については同一符号を付して説明する。
【００１５】
図３は、本発明の一実施例による腕時計バンドの連結片の分離斜視図であり、図４は、本発明の一実施例による腕時計バンドの連結片の組立断面図であり、図５は、本発明の一実施例による腕時計バンドの連結片の背面図である。
【００１６】
図３ないし図５に示されるように、本発明の一実施例による腕時計バンド２００は、一側の外側連結片５０と、中央連結片６０と、他側の外側連結片５０とからなり、各節目当たり三つの部品から構成されている。
【００１７】
複数の外側連結片５０には、内側面に所定深さで離隔された位置にそれぞれピン溝５１が設けられ、且つ、前記ピン溝５１の内側に貫通するように背面側に貫通孔５２が設けられる。
【００１８】
また、複数の中央連結片６０には、左右が貫通するように離隔された位置にそれぞれピン孔６１が設けられる。
【００１９】
そして、前記中央連結片６０のピン孔６１と、両側に夫々連結される外側連結片５０のピン溝５１とには連結ピン７０が組み込まれるが、この連結ピン７０の両側にはスクリュー孔７１が設けられる。前記外側連結片５０の貫通孔５２を介して連結ピン７０のスクリュー孔７１にスクリュー８０が螺合される。
【００２０】
前記中央連結片６０と両側の外側連結片５０は、一側の外側連結片５０のピン溝５１と、中央連結片６０のピン孔６１を介して、他側の外側連結片５０のピン溝５１とに連結ピン７０を挿入し、外側連結片５０の背面側に形成の貫通孔５２を介してスクリュー８０を前記連結ピン７０のスクリュー孔７１に螺合させることによって、互いに組み合わされる。
【００２１】
前記連結ピン７０は、該両側が外側連結片５０のピン溝５１に挿入され、貫通孔５２を介してスクリュー８０が固定されるが、中央連結片６０は、この連結ピン７０を中心として回転し得るように組み合わされる。
【００２２】
前記連結ピン７０の両側一部分は半円形に構成されているが、かかる半円形部分にはスクリュー８０が螺合されるべくスクリュー孔７１が設けられる。
【００２３】
したがって、本発明による腕時計のバンド２００は、中央連結片６０のもう一つピン孔６１に連結ピン７０を挿入し、前記連結ピン７０の両側をそれぞれ新しい外側連結片５０のピン溝５１に挿入させてから、一側の外側連結片５０の貫通孔５２を介して連結ピン７０のスクリュー孔７１にスクリュー８０を螺合させ、他側の外側連結片５０のピン溝５２を介して連結ピン７０のスクリュー孔７１にスクリュー８０を螺合させることによって、腕時計のバンドが組み立てられることになる。
【００２４】
両側の外側連結片５０と中央連結片６０とを交替しながら連結ピン７０とスクリュー８０とにより組み合わせることから、必要とされるサイズほど時計のバンドを長くすることができる。
【００２５】
本発明による時計バンド２００においては、外側連結片５０と、中央連結片６０とを、連結ピン７０により結合して、外側連結片５０の背面に形成の貫通孔５２を介してスクリュー８０を用いて連結ピン７０を固定させ、順次に連結するため、バンドの長さを調節したいときにも、ドライバー一本だけで簡単且つ容易に時計バンドの長さを調節することができる。
【００２６】
本発明の詳細な説明では、具体的な実施例に限って説明したが、本発明から逸脱しない範囲内にて様々変形して実施することが可能となる。
【図面の簡単な説明】
【００２７】
【図１】従来の腕時計バンドの連結片の分離斜視図。
【図２】従来の腕時計バンドの連結片の組立断面図。
【図３】本発明の一実施例による腕時計バンドの連結片の分離斜視。
【図４】本発明の一実施例による腕時計バンドの連結片の組立断面図。
【図５】本発明の一実施例による腕時計バンドの連結片の背面図である。
【符号の説明】
【００２８】
２００    腕時計バンド
５０      外側連結片
５１      ピン溝
５２      貫通孔
６０      中央連結片
６１      ピン孔
７０      連結ピン
７１      スクリュー孔
８０      スクリュー
【図１】
2007000601.tif 000003
【図２】
2007000601.tif 000004
【図３】
2007000601.tif 000005
【図４】
2007000601.tif 000006
【図５】
2007000601.tif 000007